【事件の表示】
　特許第２７４８２０１号「液晶パネル駆動回路」の請求項１ないし２に係る特許に対する特許異議の申立てについて、次のとおり決定する。
【結論】
　訂正を認める。
　特許第２７４８２０１号の請求項１に係る特許を維持する。
【理由】
Ｉ　手続きの経緯
　本件特許第２７４８２０１号発明（以下「本件特許発明」という）は、平成３年１０月２５日に特許出願され、平成１０年２月２０日にその特許の設定登録がなされたものであり、その後、平成１０年１１月４日にセイコーエプソン株式会社より特許異議の申立てがなされ、平成１１年１月２５日に取消理由通知がなされ、平成１１年４月１９日に訂正請求がなされたものである。
ＩＩ　訂正の適否
１　訂正の要旨
　前記訂正の要旨は、本件特許発明の明細書を訂正請求書に添付された訂正明細書の通り、すなわち下記の通り訂正することを求めるものである。
　　　　　　　　　　　記
　訂正事項ａ．特許請求の範囲の請求項２を削除する。
　訂正事項ｂ．特許明細書の【００２２】欄の文章を削除すると共に、特許明細書の【００２３】欄以後の各欄の文章を、明瞭でない記載の釈明を目的として１づつ前の番号の欄に繰り上げて記載するように訂正する。
　訂正事項ｃ．特許明細書の【００４４】欄における「以上、本発明の請求項１，２に係る…回路としての性能アップを図ることが可能となる。」との記載を、「以上、本発明の請求項１に係る液晶パネル駆動回路は、入力ビデオ信号上の間引きラインとその直前ラインにおいて、カラー用液晶パネル上のＲＧＢ画素には同極性の電圧が２Ｈ期間印加されないように構成されているので、従来回路とは異なり、長時間静止画を連続表示させても、カラー用液晶パネル上の画素が劣化することがなく、しかも残像もないので画質が良好で、回路としての性能アップを図ることが可能となる。」と訂正する。
２　訂正の目的・範囲の適否と拡張・変更の存否
　前記訂正事項ａ〜訂正事項ｃについて検討する。
　前記訂正事項ａは、特許請求の範囲の減縮を目的とするものであり、前記訂正事項ｂは、訂正事項ａの特許請求の範囲の減縮に伴う、明瞭でない記載の釈明を目的とするものであり、前記訂正事項ｃは、明瞭でない記載の釈明を目的とするものである。
　そして、前記各訂正は、願書に添付した明細書又は図面に記載した事項の範囲内であり、実質上特許請求の範囲を拡張し又は変更するものでない。
３　独立特許要件の存否
▲１▼　訂正後の本件特許発明
　訂正後の本件請求項１に係る特許発明の目的、効果は「長時間静止画を連続表示させても、カラー用液晶パネル上の画素が劣化することがなく、しかも残像もないので画質が良好で、回路としての性能アップを図ることが可能となる」ことであり、その発明の構成は、
「【請求項１】入力ビデオ信号がＰＡＬ放送方式でありながら、フィールのｎライン目を規則的に間引くことにより、ＮＴＳＣ放送方式用のカラー液晶パネルに対し画像を表示せしめ、且つ当該カラー用液晶パネルの画素に印加する電圧をフィールド毎及びライン毎に極性反転を行う液晶パネル表示回路であって、前記入力ビデオ信号から水平・垂直同期信号を分離して当該信号を出力する同期信号発生回路と、カラー用液晶パネルに接続されたＸ・Ｙシフトレジスタを有するＸ・Ｙドライバ回路と、水平・垂直同期信号に基づいて前記Ｘ・Ｙシフトレジスタ等を動作させるパルス信号を生成する回路であって、入力ビデオ信号がフィーレドのｎライン目であるとき、Ｘシフトレジスタスタートパルスを停止させこれをＤｘ信号とする一方、前記Ｙシフトレジスタに導入するＹシフトレジスタ転送クロックを１水平走査期間だけ遅らせこれをＣＬＹ信号とし、当該信号とは別に、入力ビデオ信号がフィールドの（ｎ−１）ラインからｎライン目に進んだときにはＣＬＹ信号がこの前後で反転し且つフィールドが変化する度に反転した信号を生成しＣＬＹ（２）信号として出力する基準パルス発生回路と、入力ビデオ信号を復調してＲ・Ｇ・Ｂ信号を生成するビデオ復調回路と、Ｒ・Ｇ・Ｂ信号の極性を反転させてＲ’・Ｇ’・Ｂ’信号を生成する反転回路と、Ｒ．Ｇ．Ｂ信号とＲ’・Ｇ’・Ｂ’信号とをＣＬＹ（２）信号が示すタイミングで交互に切り替え、切り替えた信号をＲ／Ｒ’・Ｇ／Ｇ’・Ｂ／Ｂ’信号として出力するＲＧＢ交番回路と、カラー液晶パネルにライン毎に異なって配列されたＲＧＢの画素に対応した信号を与えるべく、Ｒ／Ｒ’・Ｇ／Ｇ’・Ｂ／Ｂ’信号の順番をＤｘ信号が示すタイミングで入れ替え、入れ替えた信号をＶＩＤ１・２・３信号として前記Ｘドライバ回路を介してカラー液晶パネルのＲＧＢの画素に夫々出力するＲＧＢローテション回路とを具備していることを特徴とする液晶パネル駆動回路。」である。
▲２▼　刊行物記載発明
　刊行物１（甲第１号証（特開平０２−１００４７６号公報））には、
「ＮＴＳＣ方式対応の液晶パネルにＰＡＬ方式画像を再生する装置のブロック図である。第１図に示すブロック図は信号回路１９、水平走査回路７、垂直走査回路（垂直シフトレジスタ）１０、液晶パネル１２で構成される。」（第４頁左上欄第２行〜第６行）、「入力端子１に入力されたＰＡＬ信号から、同期分離回路２において水平・垂直同期信号を分離する。」（第４頁右上欄第４行〜第６行）、「本実施例ではカラー表示を前提とし」、第５頁左下欄第３行〜第５行に「対応する６本に１本の走査線の割合で画像信号は液晶パネル上に表示されない」（第４頁右上欄第１４行〜第１５行）、「ライン毎極性反転駆動において必ずしも極性切り換え回路５を制御する必要はない。ライン毎極性反転の位相を反転し奇数フィールドと逆極性の信号を偶数フィールドで各ラインに書き込めば、液晶画素にはフィールド毎に極性が反転した信号が印加されるからである。」（第７頁左下欄第１行〜第７行）、「第２図に、第１図の回路動作に必要な主要信号の波形図を示す。第２図に示す信号は水平同期信号Ｈｓｙｎｃ、画像信号Ｒ、水平シフトレジスタ１４のスタートバルスＳＴＨ、そのシフトクロック（すなわちサンプリングクロックに相当する）ＣＫＨ、垂直走査回路１０のＳＴＶ、そのシフトクロックＣＫＶおよびバッファアンプ制御用信号ＯＥである。垂直走査は垂直走査回路内のシフトレジスタのスタートバルスＳＴＶの入力時における垂直シフトクロックＣＫＶの立上りを基準に開始する。第２図では、関連する各信号のパルスに同じ番号を付している。すなわち、ＣＫＶのパルス１の立上りで垂直シフトレジスタ１０の第１段目から走査パルスが出力され、液晶パネル１２の第１走査電極が駆動される。一方、ＣＫＶのパルス１より約１水平周期前におけるＨｓｙｎｃのパルス１に同期するＳＴＨのパルス１によって画像信号Ｒの１がサンプリングされる。このサンプリングデータは、Ｈｓｙｎｃのパルス１より約１水平周期後に立ち上がるＯＥの１によってバッファアンブ１１から出力され、液晶パネル１２の第１ラインに書き込まれる。．．．
　第１図に示す間引回路６では、例えば第２図に示すように、ＣＫＶのパルス６以降順次６個に１個の間隔で垂直シフトクロックＣＫＶを間引いている。従って、ＣＫＶのパルス６に相当する時刻において垂直シフトレジスタ１０は動作せず、ＣＫＶパルス５の入力時の状態に停止したままである。…液晶パネル１２の第５ラインが選択された状態がＣＫＶのパルス６の期間継続する。このとき、ＯＥのパルス６も同時に停止することにより、第５ラインに５番目の画像信号が書き込まれて保持される。」（第４頁右下欄下から第９行〜第５頁右上欄第１１行）、「液晶パネル１２に書き込まれない６番目の画像信号は零であり」（第７頁右上欄第３行〜第４行）、「ビデオクロマ回路４において、入力ビデオ信号に基づく画像信号を形成する。」（第４頁右上欄第１１行〜第１２行）、「第５図では間引回路６の出力で極性切り換え回路５をコントロールしている。」（第７頁左上欄第１０行〜第１２行）、「これまでの説明では、１本の信号電極に接続される画素の表示色は同一としてきたが、異なる表示色の画素が接続される場合もある。この時はライン毎極性反転の実施例第６図の極性切換回路５の代りに、色信号切換回路を用いると良い。」（第７頁左下欄下から第７行〜下から第２行）、「間引回路６の出力で極性切換回路５をコントロールしている」（第７頁左上欄１１行〜１２行）、とする発明が記載されている。
　刊行物２（甲３号証（特開昭６３−１６９８８４号公報））には、第６図を参照すると、刊行物２の極性反転回路１４が本件請求項２記載の反転回路に相当し、同じく極性切換回路１５がＲＧＢ交番回路に相当し、色切換回路１７がＲＧＢローテーション回路に相当する画像表示装置に関する発明が記載されている。
▲３▼　訂正後の本件特許発明の新規性・進歩性
　刊行物１（甲第１号証）および刊行物２（甲第３号証）の何れにも訂正後の本件請求項１に係る特許発明の構成要素である「入カビデオ信号がＰＡＬ放送方式でありながら、フィールドのｎライン目を規則的に間引くことにより、ＮＴＳＣ放送方式用のカラー液晶パネルに対し画像を表示せしめ」る「液晶パネル表示回路」において、▲１０▼「「入カビデオ信号がフィールドのｎライン目であるとき、Ｘシフトレジスタスタートパルスを停止させこれをＤｘ信号とする一方、前記Ｙシフトレジスタに導入するＹシフトレジスタ転送クロックを１水平走査期間だけ遅らせこれをＣＬＹ信号とし、当該信号とは別に、入力ビデオ信号がフィールドの（ｎ−１）ラインからｎライン目に進んだときにはＣＬＹ信号がこの前後で反転し且つフィールドが変化する度に反転した信号を生成しＣＬＹ（２）信号として出力する基準パルス発生回路」、および、「Ｒ・Ｇ・Ｂ信号とＲ’・Ｇ’・Ｂ’信号とをＣＬＹ（２）信号が示すタイミングで交互に切り替え、切り替えた信号をＲ／Ｒ’・Ｇ／Ｇ’・Ｂ／Ｂ’信号として出力するＲＧＢ交番回路と、カラー液晶パネルにライン毎に異なって配列されたＲＧＢの画素に対応した信号を与えるべく、Ｒ／Ｒ’・Ｇ／Ｇ’・Ｂ／Ｂ’信号の順番をＤｘ信号が示すタイミングで入れ替え、入れ替えた信号をＶＩＤ１・２・３信号として前記Ｘドライバ回路を介してカラー液晶パネルのＲＧＢの画素に夫々出力するＲＧＢローテション回路」を有する」」点は記載されておらず、上記「ＣＬＹ（２）信号」に対応する信号を用いることの示唆も認められない。
　そして、訂正後の本件請求項１に係る特許発明は、上記の▲１０▼の点により、上記本件特許発明の目的・効果を奏するものと認められる。
　即ち、訂正後の本件特許発明が、刊行物１（甲第１号証）または刊行物２（甲第３号証）に記載された発明であるとも、刊行物１（甲第１号証）および刊行物２（甲第３号証）に記載された発明に基づいて、当業者が容易に発明できたものとすることも、できない。
▲４▼　独立特許要件の存否
▲１▼〜▲３▼を総合して判断すると、訂正後の請求項１に係る特許発明について、特許出願の際独立して特許を受けることができない発明とすることはできない。
４　訂正の適否
　１〜３を総合して判断すると、前記訂正請求は、特許法第１２０条の４第２項第１号乃至第３号に掲げる事項を目的とし、且つ同条第３項で準用する特許法第１２６条第２項乃至第４項の規定に適合するので、当該訂正を認める。
ＩＩＩ　特許異議の申立てについて
１　特許異議申立の理由の要旨
　本件請求項１および２に係る特許発明は、甲第１号証（特開平２−１００４７６号公報）、甲第２号証（特開平１−２５２０８１号公報）、甲第３号証（特開昭６３−１６９８８４号公報）、甲第４号証（特開昭５９−２０８９９４号公報）に記載された発明に基づいて、当業者が容易に発明をすることができたものであるから、特許法第２９条第２項の規定により特許を受けることができないものであり、また、特許請求の範囲の請求項２は、記載不備があるので、特許法３６条５項に規定する要件を満たしていない、旨主張している。
２　特許異議申立の理由の適否
　訂正後の本件特許発明は、上記ＩＩの３で詳細に述べた様に、取消理由通知で示した刊行物である甲第１号証（刊行物１）、甲第３号証（刊行物２）に記載された発明から容易に発明をすることができたものとすることはできない。
　また、甲第２号証および甲第４号証には、上記ＩＩの３の▲３▼で述べた▲１０▼の点が記載されていない。
　さらに、記載不備は、訂正請求により請求項２が削除されたので、解消した。
　尚、他に本件特許を取り消すべき理由を発見しない。
ＩＶ　結び
　以上述べた通り、前記訂正請求はこれを認め、特許異議の申立は理由がなく、他に本件特許を取り消すべき理由を発見しない。
　よって、結論のとおり決定する。
【異議決定日】
平成１１年６月２８日（１９９９．６．２８）
【訂正の要旨】
　訂正の要旨
　訂正事項ａ．特許請求の範囲の請求項２を削除する。
　訂正事項ｂ．特許明細書の【００２２】欄の文章を削除すると共に、特許明細書の【００２３】欄以後の各欄の文章を、明瞭でない記載の釈明を目的として１づつ前の番号の欄に繰り上げて記載するように訂正する。
　訂正事項ｃ．特許明細書の【００４４】欄における「以上、本発明の請求項１，２に係る…回路としての性能アップを図ることが可能となる。」との記載を、「以上、本発明の請求項１に係る液晶パネル駆動回路は、入力ビデオ信号上の間引きラインとその直前ラインにおいて、カラー用液晶パネル上のＲＧＢ画素には同極性の電圧が２Ｈ期間印加されないように構成されているので、従来回路とは異なり、長時間静止画を連続表示させても、カラー用液晶パネル上の画素が劣化することがなく、しかも残像もないので画質が良好で、回路としての性能アップを図ることが可能となる。」と訂正する。
（５４）【発明の名称】
液晶パネル駆動回路
（５７）【特許請求の範囲】
　　【請求項１】　入力ビデオ信号がＰＡＬ放送方式でありながら、フィールドのｎライン目を規則的に間引くことにより、ＮＴＳＣ放送方式用のカラー液晶パネルに対し画像を表示せしめ、且つ当該カラー用液晶パネルの画素に印加する電圧をフィールド毎及びライン毎に極性反転を行う液晶パネル表示回路であって、前記入カビデオ信号から水平・垂直同期信号を分離して当該信号を出力する同期信号発生回路と、カラー用液晶パネルに接続されたＸ・Ｙシフトレジスタを有するＸ・Ｙドライバ回路と、水平・垂直同期信号に基づいて前記Ｘ・Ｙシフトレジスタ等を動作させるパルス信号を生成する回路であって、入力ビデオ信号がフィールドのｎライン目であるとき、Ｘシフトレジスタスタートパルスを停止させこれをＤｘ信号とする一方、前記Ｙシフトレジスタに導入するＹシフトレジスタ転送クロックを１水平走査期間だけ遅らせこれをＣＬＹ信号とし、当該信号とは別に、入カビデオ信号がフィールドの（ｎ−１）ラインからｎライン目に進んだときにはＣＬＹ信号がこの前後で反転し且つフィールドが変化する度に反転した信号を生成しＣＬＹ（２）信号として出力する基準パルス発生回路と、入力ビデオ信号を復調してＲ・Ｇ・Ｂ信号を生成するビデオ復調回路と、Ｒ・Ｇ・Ｂ信号の極性を反転させてＲ’・Ｇ’・Ｂ’信号
を
【発明の詳細な説明】
　　【０００１】
　　【産業上の利用分野】
　本発明はテレビ・ビデオ機器等に装備される回路であって、入力ビデオ信号がＰＡＬ放送方式でありながらＮＴＳＣ放送方式用のカラー液晶パネルに画像を表示することが可能な液晶パネル駆動回路に関する。
　　【０００２】
　　【従来の技術】
　この種の液晶パネル駆動回路が通常のＣＲＴ駆動回路と大きく異なるのは、電気化学反応による液晶の劣化を防止するため、画素に直流ではなく交流の電圧を印加する必要がある点と、ＰＡＬ放送方式である入力ビデオ信号のフィールドの水平ラインを規則的に間引いて、水平ライン数をＮＴＳＣ放送方式用のカラー液晶パネルの垂直方向のライン数に合わせる必要がある点である。
　　【０００３】
　従来の液晶パネル駆動回路を図６〜図８を参照して説明する。なお、ここに掲げる回路例は、画面のフリッカ防止等の観点から、カラー用液晶パネルの画素に印加する電圧をフィールド毎及びライン毎に極性反転し、しかも奇数フィールドと偶数フィールドとで間引くラインを異にしている。具体的には奇数フィールドにおける９ライン毎の６ライン目、偶数フィールドにおける９ライン毎の３ライン目を夫々間引くようにしている（以後、説明の都合上、これを間引きラインとする）
　　【０００４】
　図６は液晶パネル駆動回路のブロック図である。ＰＡＬ放送方式の入力ビデオ信号はビデオ復調回路１に導入される。ビデオ復調回路１は入カビデオ信号を復調してＲ・Ｇ・Ｂ信号（図８参照）を生成し反転回路２に出力する。反転回路２はＲ・Ｇ・Ｂ信号の極性を反転してＲ’・Ｇ’・Ｂ’信号（図８参照）を生成し、Ｒ・Ｇ・Ｂ信号とともにＲＧＢ交番回路３に出力する。
　　【０００５】
　ＲＧＢ交番回路３は３回路のアナログスイッチから構成されており、Ｒ・Ｇ・Ｂ信号とＲ’・Ｇ’・Ｂ’信号とを後述するＣＬＹ信号（１）が示すタイミングで交互に切り替え、Ｒ／Ｒ’・Ｇ／Ｇ’・Ｂ／Ｂ’信号としてＲＧＢローテション回路４に出力する。
　　【０００６】
　ＲＧＢローテション回路４についてもアナログスイッチ等から構成されており、Ｒ／Ｒ’・Ｇ／Ｇ’・Ｂ／Ｂ’信号の順番を後述するＤＸ信号が示すタイミングで入れ替えるとともに、ＶＩＤ１・２・３信号としてＸドライバ回路５に出力するようになっている。
　　【０００７】
　Ｘドライバ回路５及びＹドライバ回路６はカラー液晶パネル７に接続されている。図７はカラー液晶パネルの周辺回路の回路図であり、この図を参照してカラー液晶パネル７について説明する。
　　【０００８】
　カラー用液晶パネル７はＴＦＴアクティブマトリクス方式のもので、これには水平方向（Ｘ方向）及び垂直方向（Ｙ方向）にＲＧＢの画素が複数個が配列されている。水平方向の１ライン目はＲＧＢの順で、２・３ライン目にはＧＢＲ・ＢＲＧの各順で配列され、以後のラインは上記の繰り返しで、マトリックス状の画素配列となっている。
　　【０００９】
　Ｘドライバ回路５は何れもカラー用液晶パネル７の水平方向（Ｘ方向）の画素数と同じ回路数を有するＸシフトレジスタ５１とサンプルホルダ５２から構成されている。Ｘシフトレジスタ５１には、シフトスタートパルスであるＤＸ信号及びシフト転送クロックであるＣＬＸ１〜４信号が導入されている一方、サンプルホルダ５２にはＲＧＢの画素に応じて３回路一組となっており、ＶＩＤ１・２・３信号が夫々導入されている。
　　【００１０】
　Ｙトライバ回路６は何れもカラー用液晶パネル７の垂直方向の画素数と同じ回路数を有するＹシフトレジスタ６１とバッファ６２から構成されている。Ｙシフトレジスタ６１には、シフトスタートパルスであるＤＹ信号及びシフト転送クロックであるＣＬＹ信号が導入されている。
　　【００１１】
　一方、入力ビデオ信号は図６に示すようにビデオ復調回路１の他に同期信号発生回路８にも入力されている。同期信号発生回路８は入カビデオ信号からＨ　ＳＹＮＫ信号（水平同期信号）及びＶ　ＳＹＮＫ信号（垂直同期信号）を取り出し、当該信号を基準パルス発生回路９０に出力する。
　　【００１２】
　基準パルス発生回路９０はＨ　ＳＹＮＫ信号及びＶ　ＳＹＮＫ信号に基づいてＸ・Ｙドライバ回路５、６等を動作させるための基準パルス、即ち、上記したＤＸ信号、ＣＬＸ１〜４信号、ＤＹ信号、ＣＬＹ信号、ＣＬＹ（１）信号等を生成するデジタル回路である。
　　【００１３】
　図８は液晶パネル駆動回路における主要信号のタイミングチャートであり、この中には基準パルス発生回路９０にて生成される信号も含まれている。図中示すようにＤＸ信号はＨ　ＳＹＮＫ信号に略同期したパルスであり、間引きラインでのパルスが消去された信号となっている。ＣＬＹ信号は基本的にはＨ　ＳＹＮＫ信号が示すタイミングで反転したクロックであるが、間引きラインではクロックを１Ｈ（Ｈ：水平走査期間）期間だけ遅延した信号となっている。ＤＹ信号はフィールドが変化する度にパルスが出力される信号となっている。なお、図８には示されていないが、ＣＬＹ（１）信号はフィールドが変化する度にＣＬＹ信号を信号反転させた信号となっている。
　　【００１４】
　次に、以上のように構成された液晶パネル駆動回路の動作について説明する。まず、入カビデオ信号上の奇数フィールドの１ライン目において、Ｈ　ＳＹＮＫ信号がアクティブとなると、ＣＬＹ信号、ＣＬＹ信号（１）及びＤＸ信号が変化する。このときＣＬＹ信号及びＣＬＹ信号（１）はＬであることから、ＲＧＢ交番回路３から出力されるのはＲ・Ｇ・Ｂ信号である。また、ＲＧＢローテション回路４から出力されるＶＩＤ１・２・３信号にはＲ・Ｇ・Ｂ信号が現れることになる。
　　【００１５】
　Ｒ、Ｇ、Ｂ信号はサンプルホルダ５２に一旦取り込まれた後、ＣＬＸ１〜４信号に従って動作するＸシフトレジスタ５１により、サンプルホルダ５２の図中左から右にかけて順に読み出され、カラー用液晶パネル７上の１ライン目のＲ・Ｇ・Ｂの画素にＲ・Ｇ・Ｂ信号の電圧が夫々印加される。
　　【００１６】
　次に、入力ビデオ信号上の奇数フィールドの２ライン目について、Ｈ　ＳＹＮＫ信号が再びアクティブとなると、ＣＬＹ信号がＨに変化することから、ＲＧＢ交番回路３から出力されるのはＲ’・Ｇ’・Ｂ’信号となる。と同時に、Ｄｘ信号もアクティブとなるので、ＲＧＢローテション回路４の接点が変化する結果、これから出力されるＶＩＤ１・２・３信号にはＧ’・Ｂ’・Ｒ’信号が現れる。この信号の電圧がカラー用液晶パネル７上の２ライン目に印加さ，れる過程については上記と同様である。ただ、２ライン目の画素配列は１ライン目と異なるものの、ＲＧＢローテション回路４によって信号の順番が入れ替わっていることから、２ライン目のＧＢＲの画素にはこれに対応したＧ’・Ｂ’・Ｒ’信号の電圧が夫々印加される。
　　【００１７】
　入カビデオ信号上の奇数フィールドの３ライン目以後についても上記と同様であるので、次に、間引きラインである６ライン目について説明する。６ライン目は他のラインと異なり、ＣＬＹ信号及びＤｘ信号が変化しない。よって、５ライン目から６ライン目に入ると、Ｙシフトレジスタ６はシフトされず直前の状態にホールドされる一方、サンプルホルダ５２にラッチされているＲ・Ｇ・Ｂ信号が再び読み出され、カラー用液晶パネル７上の５ライン目に再び書き込まれる。このようにして入カビデオ信号の奇数フィールドの６ライン目が間引かれる。
　　【００１８】
　一方、偶数フィールドについても奇数フィールドと同様であるが、間引きラインが異なる他に、フィールドが変化する度にＣＬＹ信号（１）が反転するようになっているので、奇数フィールドの場合に比較すると、カラー用液晶パネル７のＲＧＢ画素に各々印加される電圧の極性が反転することになる。
　　【００１９】
　　【発明が解決しようとする課題】
　しかしながら、上記従来例による場合には、カラー用液晶パネル７の各画素に印加する電圧をフィールド毎及びライン毎に極性反転しているとはいえ、図８に示すように、入力ビデオ信号上の間引きラインとその直前ラインにおいて、カラー用液晶パネル７のＲＧＢ画素には正極の電圧が２Ｈ期間印加されるおそれがあるという欠点がある。それ故、長時間静止画を連続表示させたとすると、カラー用液晶パネル７のＲＧＢ画素が劣化するばかりか、長時間にわたる残像が生じて画質にも影響を及ぼすという問題がある。
　　【００２０】
　本発明は上記した背景の下に創作されたものであり、その目的とするところは、上記した欠点が生じない液晶パネル駆動回路を提供することにある。
　　【００２１】
　　【課題を解決するための手段】
　本発明の請求項１にかかる液晶パネル駆動回路は、入カビデオ信号がＰＡＬ放送方式でありながら、フィールドのｎライン目を規則的に間引くことにより、ＮＴＳＣ放送方式用のカラー液晶パネルに対し画像を表示せしめ、且つ当該カラー用液晶パネルの画素に印加する電圧をフィールド毎及びライン毎に極性反転を行う液晶パネル表示回路であって、前記入力ビデオ信号から水平・垂直同期信号を分離して当該信号を出力する同期信号発生回路と、カラー用液晶パネルに接続されたＸ・Ｙシフトレジスタを有するＸ・Ｙドライバ回路と、水平・垂直同期信号に基づいて前記Ｘ・Ｙシフトレジスタ等を動作させるパルス信号を生成する回路であって、入力ビデオ信号がフィールドのｎライン目であるとき、Ｘシフトレジスタスタートパルスを停止させこれをＤＸ信号とする一方、前記Ｙシフトレジスタに導入するＹシフトレジスタ転送クロックを１水平走査期間だけ遅らせこれをＣＬＹ信号とし、当該信号とは別に、入カビデオ信号がフィールドの（ｎ−１）ラインからｎライン目に進んだときにはＣＬＹ信号がこの前後で反転し且つフィールドが変化する度に反転した信号を生成しＣＬＹ（２）信号として出力する基準パルス発生回路と、入力ビデオ信号を復調してＲ・Ｇ・Ｂ信号を生成するビデオ復調回路と、Ｒ・Ｇ・Ｂ信号の極性を反転させてＲ’・Ｇ’・Ｂ’信号を生成する反転回路と、Ｒ・Ｇ・Ｂ信号とＲ’・Ｇ’・Ｂ’信号とをＣＬＹ（２）信号が示すタイミングで交互に切り替え、切り替えた信号をＲ／Ｒ’・Ｇ／Ｇ’・Ｂ／Ｂ’信号として出力するＲＧＢ交番回路と、カラー液晶パネルにライン毎に異なって配列されたＲＧＢの画素に対応した信号
を
　　【００２２】
　　【実施例】
　以下、本発明にかかる液晶パネル駆動回路の実施例を図面を参照して説明する。ここで掲げる実施例回路は基本的には従来回路と同様であるので、重複説明となる箇所もあるが、同一の回路構成については同一の番号で示すこととして以下詳細に説明する。
　　【００２３】
　
なお、実施例回路は、画面のフリッカ防止等の観点から、カラー用液晶パネルの画素に印加する電圧をフィールド毎及びライン毎に極性反転し、奇数フィールドにおける９ライン毎の６ライン目、偶数フィールドにおける９ライン毎の３ライン目を夫々間引くようにしている（以後、説明の都合上、これを間引きラインとする）点についても従来回路と同様である。
　　【００２４】
　
図１は液晶パネル駆動回路のブロック図である。ＰＡＬ放送方式の入カビデオ信号はビデオ復調回路１に導入される。ビデオ復調回路１では、入カビデオ信号を復調してＲ・Ｇ・Ｂ信号を生成するとともに、当該信号を内蔵のクランプ回路、ホワイトバランス回路及びガンマ補正回路により当該信号をカラー用液晶パネル７の特性に合ったものに処理した上で、反転回路２に出力するようになっている。
　　【００２５】
　
反転回路２はＲ・Ｂ・Ｇ信号の極性を反転してＲ’．Ｇ’．Ｂ’信号を生成し、当該信号をＲ・Ｇ・Ｂ信号とともにＲＧＢ交番回路３に出力する。なお、ＶＣＣを電源電圧とすると、ノーマリホワイトの場合、１／２ＶＣＣ〜ＶＣの間の電圧が負極、０〜１／２ＶＣＣの間の電圧が正極であって、正極性信号と負極性信号とは１／２ＶＣＣの電圧を中心に対称となっている。一方、ノーマリブラックの場合、上記と全く逆となる。
　　【００２６】
　
図２はＲＧＢ交番回路の周辺回路を示す回路図である。この図に示すようにＲＧＢ交番回路３は、２入力１出力用アナログスイッチを３回路有する回路であって、Ｒ・Ｇ・Ｂ信号とＲ’・Ｇ’・Ｂ’信号とを後述するＣＬＹ信号（２）が示すタイミングで交互に切り替えるとともに、Ｒ／Ｒ’・Ｇ／Ｇ’・Ｂ／Ｂ’信号としてＲＧＢローテション回路４に出力する。なお、図２中に示すように、ＣＬＹ信号（２）がＨレベルであるときには、Ｒ’．Ｇ’．Ｂ’信号を出力し、同様にＬレベルであるときには、Ｒ・Ｇ・Ｂ信号を出力するようになっている。
　　【００２７】
　
ＲＧＢローテション回路４は、図２に示すように３入力１出力のアナログスイッチ４１、４２、４３とフリップフロップ４４から構成されており、図１に示すようにＲ／Ｒ’・Ｇ／Ｇ’・Ｂ／Ｂ’信号の順番を後述するＤＸ信号が示すタイミングで入れ替えるとともに、ＶＩＤ１・２・３信号としてＸドライバ回路５に出力するようになっている。
　　【００２８】
　
ＲＧＢローテション回路４について図２を参照して詳しく説明する。ＤＸ信号がアクティブとなると、この信号をフリップフロップ４４が保持し、ＤＸ信号がアクティブとなる度に、アナログスイッチ４１、４２、４３の各接点がａ、ｂ、ｃの順でトグル変化するようになっている。アナログスイッチ４１、４２、４３がａ接点のとき、Ｒ／Ｒ’・Ｇ／Ｇ’・Ｂ／Ｂ’信号がＶＩＤ１・２・３信号となり、同様に、ｂ接点のときにはＶＩＤ３・１・２信号となり、Ｃ接点のときにはＶＩＤ２・３・１信号となる。このＲＧＢローテション回路４により、カラー用液晶パネル７に配列されたＲ・Ｇ・Ｂ画素には、これに対応したＲ・Ｇ・Ｂ信号等が印加されることになる。
　　【００２９】
　
Ｘドライバ回路５及びＹドライバ回路６はカラー液晶パネル７に接続されている。Ｘドライバ回路５、Ｙドライバ回路６はＸシフトレジスタ、Ｙシフトレジスタを有しており、カラー液晶パネル７はＮＴＳＣ放送方式用のものであって、Ｒ、Ｇ、Ｂの画素が垂直方向（Ｘ方向）及び水平方向（Ｙ方向）に配列されモザイク構造となっている。なお、Ｘドライバ回路５、Ｙドライバ回路６及びカラー液晶パネル７は図７を用いて説明した従来回路と同一であるので、詳しい説明は省略する
　　【００３０】
　
さて、入カビデオ信号は図１に示すようにビデオ復調回路１の他に同期信号発生回路８にも入力されている。同期信号発生回路８は同期分離回路であって、入カビデオ信号は入力ビデオ信号からＨ　ＳＹＮＫ信号（水平同期信号）及びＶＳＹＮＫ信号（垂直同期信号）を分離し、基準パルス発生回路９に出力する。
　　【００３１】
　
基準パルス発生回路９は、Ｈ−ＰＬＡ９１、Ｖ−ＰＬＡ９２、クロック信号発生回路９３、間引きコントローラ９４から構成されたデジタル回路であって、Ｈ　ＳＹＮＫ信号及びＶ　ＳＹＮＫ信号に基づいてＸ・Ｙドライバ回路５、６のＸ・Ｙシフトレジタ５１、６１等を動作させるための基準パルスを生成するようになっている。
　　【００３２】
　
より詳しくは、Ｈ　ＳＹＮＫ信号及びＶ　ＳＹＮＫ信号はＨ−ＰＬＡ９１、Ｖ−ＰＬＡ９２を介してクロック信号発生回路９３に導かれている。クロック信号発生回路９３は、Ｈ　ＳＹＮＫ信号及びＶ　ＳＹＮＫ信号に基づいて現在のフィールド及び走査ラインを認識しつつ、ＤＸ信号、ＣＬＸ１〜４信号、ＤＹ信号、ＣＬＹ信号等を生成する。一方、間引きコントローラ９４には間引きラインのデータが予め記憶されており、クロック信号発生回路９３から導かれた信号に基づいてＣＬＹ（２）信号を生成する。
　　【００３３】
　
図３は実施例回路における主要信号のタイミングチャートである。ＣＬＹ信号（２）信号を除いては従来回路と異なることはないが、この図を参照して基準パルス発生回路９を説明する。なお、図３の最上段は入力ビデオ信号上のフィールドの水平ラインのナンバーが示されている。
　　【００３４】
　
ＤＸ信号は図外のＨ　ＳＹＮＫ信号に略同期したパルスであり、間引きラインで出力されるべきパルスを削除した信号となっている。当該信号はＲＧＢローテション回路４に導かれている。但し、Ｘシフトレジスタ５１（図７参照）のシフトスタート入力には、図外のＨ　ＳＹＮＫ信号に同期したパルスが導かれている。
　　【００３５】
　
ＣＬＹ信号はＨ　ＳＹＮＫ信号が示すタイミングで反転したクロックであって、間引きラインではクロックをＩＨ（Ｈ：水平走査期間）期間だけ遅延した信号となっており、当該信号はＹシフトレジスタ６１のシフト転送クロック入力に導かれている。なお、基準パルス発生回路９０により生成されるＣＬＸ１〜４信号、ＤＹ信号については従来と同じであるので説明は省略する。
　　【００３６】
　
一方、ＣＬＹ（２）信号は基本的にはＣＬＹ信号と同期した信号となっているものの、間引きラインにおいて信号変化せしめた信号となっている。即ち、奇数フィールドの５ライン目と６ライン目との間で、及び偶数フィールドの２ライン目と３ライン目との間で、信号を強制的に変化させ、且つフィールドが変化する度に信号反転させている。
　　【００３７】
　
以上のように構成された実施例回路の特徴的な動作について説明する。入カビデオ信号上の奇数フィールドの６ライン目においては、従来回路と同じく、ＣＬＹ信号及びＤＸ信号が変化しないので、６ライン目に入ってもＹシフトレジスタ６はシフトされず直前の状態にホールドされ、その結果、このラインは間引かれる。この点は従来回路と同じである。だが、従来回路と異なるのは、奇数フィールドの５ライン目から６ライン目に進むと、この時点でのＣＬＹ（２）信号の変化に伴ってＲＧＢ交番回路３の接点が変化し、６ライン目の信号がＲ’、Ｇ’、Ｂ’信号がサンプルホルダ５２を介してカラー用液晶パネル７上の５ライン目に再び書き込まれる点である。つまり入カビデオ信号上の奇数フィールドの５ライン目と６ライン目については、何れも、カラー用液晶パネル７上の５ライン目のＲＧＢの画素に重複して信号電圧が印加されるものの、前者はＲ・Ｇ・Ｂ信号で正極性である一方、後者はＲ’・Ｇ’・Ｂ’信号で負極性であるので、従来回路と異なり、カラー用液晶パネル７の各画素に同極性の電圧が２Ｈ期間に印加されることはなくなる。
　　【００３８】
　
なお、図３中、入カビデオ信号上の５ライン目と６ライン目についてはＶＩＤ１・２・信号が同極性になっているように見えるが、電圧が印加されるカラー用液晶パネル７上のラインが異なるので問題はない。以上述べたことは、奇数フィールドの他の間引ライン及び偶数フィールドの間引きラインについても同様である。
　　【００３９】
　
次に、実施例回路の変形例について図４及び図５を参照して説明する。図４は図２と同じくＲＧＢ交番回路の周辺回路を示す回路図であり、図５は図３と同じく液晶駆動パネルの主要信号のタイミングチャートである。
　　【００４０】
　
この変形例回路が上記した実施例回路と異なるのは、ＲＧＢ交番回路３がＣＬＹ（２）信号ではなく、従来回路で用いたＣＬＹ（１）信号により切り替えられるようになっている点と、基準パルス発生回路９にてＣＬＹ（２）信号の代わりに間引きラインでアクティブとなるＭＫ信号を新たに生成する点と、ＭＫ信号が示すタイミングでＲ／Ｒ’・Ｇ／Ｇ’・Ｂ／Ｂ’信号の電圧をコモン電圧にクランプするミュート回路１０を新たに付加した点である。ここにコモン電圧とは、正極と負極との中心電圧であり、具体的には１／２Ｖｃｃである。
　　【００４１】
　
即ち、ＲＧＢ交番回路３がＣＬＹ（１）信号が示すタイミングで切り替えられているので、入カビデオ信号上の奇数フィールドの５ライン目と６ライン目とでＲＧＢ交番回路３から出力される信号はＲ・Ｇ・Ｂ信号となるが、間引きラインたる６ライン目になると、ミュート回路１０が動作するので、カラー用液晶パネル７上の５ライン目のＲＧＢの画素に印加される電圧は実質上零となる。他の間引きラインについても同様であるので、実施例回路と同様のメリットを得ることができる。
　　【００４２】
　
なお、本発明にかかる液晶パネル駆動回路は上記実施例に限定されず、如何なる種類の液晶パネルにも適用可能である。
　　【００４３】
　　
【発明の効果】
　
以上、本発明の請求項１に係る液晶パネル駆動回路は、入力ビデオ信号上の間引きラインとその直前ラインにおいて、カラー用液晶パネル上のＲＧＢ画素には同極性の電圧が２Ｈ期間印加されないように構成されているので、従来回路とは異なり、長時間静止画を連続表示させても、カラー用液晶パネル上の画素が劣化することがなく、しかも残像もないので画質が良好で、回路としての性能アップを図ることが可能となる。
【図面の簡単な説明】
　　【図１】
　本発明の実施例回路のブロック図である。
　　【図２】
　同じくＲＧＢ交番回路の周辺回路を示す回路図である。
　　【図３】
　同じく実施例回路における主要信号のタイミングチャートである。
　　【図４】
　実施例回路の変形例を説明するための図２に対応する図である。
　　【図５】
　同じく図３に対応する図である。
　　【図６】
　従来の液晶パネル駆動回路のブロック図である。
　　【図７】
　同じくカラー液晶パネルの周辺回路の回路図である。
　　【図８】
　同じく図３に対応する図である。
　　【符号の説明】
１・・・ビデオ復調回路
２・・・反転回路
３・・・ＲＧＢ交番回路
４・・・ＲＧＢローテション回路
５、６・・・Ｘ、Ｙドライバ回路
７・・・カラー液晶パネル
８・・・同期信号発生回路
９・・・基準パルス発生回路